(57)【要約】【課題】オペレータの熟練度によらず、オペレータの所望の操作監視画面を簡便かつ迅速に表示することができるプラント操作監視装置およびプラント操作監視方法を提供すること。【解決手段】プラントに備えられた機器の操作および監視の少なくとも一方を行うための操作監視画面の表示に用いられる画面データが記憶された記憶部と、操作監視画面に関連する文字列を入力可能な文字列入力領域を表示部に表示する文字列入力領域表示処理部と、記憶部から、文字列入力領域に入力された文字列を含む画面データを取得する画面データ取得部と、取得された画面データに対応する操作監視画面の選択肢の一覧を、当該操作監視画面の種類毎に分類した状態で表示部に表示する一覧表示処理部と、を備える。【選択図】図１
2018160178.tif 000002
【特許請求の範囲】
【請求項１】
プラントに備えられた機器の操作および監視の少なくとも一方を行うための操作監視画面の表示に用いられる画面データが記憶された記憶部と、
前記操作監視画面に関連する文字列を入力可能な文字列入力領域を表示部に表示する文字列入力領域表示処理部と、
前記記憶部から、前記文字列入力領域に入力された前記文字列を含む前記画面データを取得する画面データ取得部と、
前記取得された画面データに対応する前記操作監視画面の選択肢の一覧を、当該操作監視画面の種類毎に分類した状態で前記表示部に表示する一覧表示処理部と、を備えるプラント操作監視装置。
【請求項２】
前記一覧の中から選択された前記選択肢に対応する前記操作監視画面を前記表示部に表示する操作監視画面表示処理部を更に備える、請求項１に記載のプラント操作監視装置。
【請求項３】
前記一覧の中から未選択状態で指示された前記選択肢に対応する前記操作監視画面を、前記選択肢の選択による表示の前に前記表示部に表示する事前表示処理部を更に備える、請求項２に記載のプラント操作監視装置。
【請求項４】
前記選択された選択肢に対応する前記操作監視画面が前記表示部に表示されているとき、当該操作監視画面に関連する前記機器の運転状態を示すイベント情報を前記表示部に表示するイベント情報表示処理部を更に備える、請求項２または３に記載のプラント操作監視装置。
【請求項５】
前記選択された選択肢に対応する前記操作監視画面が前記表示部に表示されているとき、当該操作監視画面に関連する前記機器の運転履歴を示すトレンド情報を前記表示部に表示するトレンド情報表示処理部を更に備える、請求項２〜４のいずれか一項に記載のプラント操作監視装置。
【請求項６】
前記選択された選択肢に対応する前記操作監視画面が前記表示部に表示されているとき、当該操作監視画面に関連する前記機器の運転状態および運転履歴以外の詳細情報を前記表示部に表示する詳細情報表示処理部を更に備える、請求項２〜５のいずれか１項に記載のプラント操作監視装置。
【請求項７】
前記一覧表示処理部は、複数回のメニュー操作によって前記操作監視画面を表示対象として選択可能な階層メニューを前記表示部に表示する、請求項１〜６のいずれか１項に記載のプラント操作監視装置。
【請求項８】
前記画面データ取得部は、前記画面データに含まれる前記操作監視画面のタイトルと、前記文字列入力領域に入力された前記文字列とを比較することで、前記入力された文字列を前記タイトルに含む前記画面データを取得する、請求項１〜７のいずれか１項に記載のプラント操作監視装置。
【請求項９】
プラントに備えられた機器の操作および監視の少なくとも一方を行うための操作監視画面に関連する文字列を入力可能な文字列入力領域を表示部に表示し、
前記操作監視画面の表示に用いられる画面データが記憶された記憶部から、前記文字列入力領域に入力された前記文字列を含む前記画面データを取得し、
前記取得された画面データに対応する前記操作監視画面の選択肢の一覧を、当該操作監視画面の種類毎に分類した状態で前記表示部に表示すること、を備えるプラント操作監視方法。
【発明の詳細な説明】
【技術分野】
【０００１】
本発明による実施形態は、プラント操作監視装置およびプラント操作監視方法に関する。
【背景技術】
【０００２】
発電プラントを制御する発電プラント制御システムに備えられたオンラインＨＭＩ(Human Machine Interface)機器は、プラント機器（例えば、タービンや排熱回収ボイラなど）の運転状態に関するリアルタイム情報を、プラント機器の操作および監視の少なくとも一方を行うための操作監視画面として表示部に表示する。
【０００３】
操作監視画面には、例えば、系統図、トレンド情報の表示画面、およびイベント情報の表示画面などの複数の種類すなわち機能がある。プラント運転中に操作監視画面を表示することで、プラント機器の操作機能および監視機能をオペレータに提供することができる。
【０００４】
しかしながら、従来のＨＭＩ機器では、ＨＭＩ画面内にあるメインメニューのメニューボタンから展開されるサブメニュー、更にその下層のサブサブメニューを操作しなければ、オペレータが希望する操作監視画面を表示させることができなかった。すなわち、従来は、多層の階層メニューを操作しなければならないことで、所望の操作監視画面の表示に要するメニュー操作時間を短縮することが困難であった。
【０００５】
また、初心者などの経験が浅いオペレータは、操作監視画面のデータベースにおける操作監視画面の登録場所を正確に覚えていないことが多い。操作監視画面の登録場所を覚えていない場合には、所望の操作監視画面が見つかるまでの間、メインメニュー、サブメニュー、およびサブサブメニューの操作を繰り返す必要があった。したがって、操作監視画面の登録場所を覚えていないオペレータにとっては、所望の操作監視画面の表示に要するメニュー操作時間を短縮することがより一層困難であった。
【先行技術文献】
【特許文献】
【０００６】
【特許文献１】特開２００２−２０２８１２号公報
【発明の概要】
【発明が解決しようとする課題】
【０００７】
本発明は上述した課題を解決するためになされたものであり、オペレータの熟練度によらず、オペレータの所望の操作監視画面を簡便かつ迅速に表示することができるプラント操作監視装置およびプラント操作監視方法を提供することを目的とする。
【課題を解決するための手段】
【０００８】
本実施形態によるプラント操作監視装置は、
プラントに備えられた機器の操作および監視の少なくとも一方を行うための操作監視画面の表示に用いられる画面データが記憶された記憶部と、
前記操作監視画面に関連する文字列を入力可能な文字列入力領域を表示部に表示する文字列入力領域表示処理部と、
前記記憶部から、前記文字列入力領域に入力された前記文字列を含む前記画面データを取得する画面データ取得部と、
前記取得された画面データに対応する前記操作監視画面の選択肢の一覧を、当該操作監視画面の種類毎に分類した状態で前記表示部に表示する一覧表示処理部を備える。
【発明の効果】
【０００９】
本発明によれば、オペレータの熟練度によらず、オペレータの所望の操作監視画面を簡便かつ迅速に表示することができる。
【図面の簡単な説明】
【００１０】
【図１】第１の実施形態によるプラント操作監視装置を示すブロック図である。
【図２】第１の実施形態によるプラント操作監視装置の動作例を示すフローチャートである。
【図３】第１の実施形態によるプラント操作監視装置の動作例として、ログインボタン、文字列入力エリアおよび選択肢一覧の表示例を示す図である。
【図４】第１の実施形態によるプラント操作監視装置の動作例として、操作監視画面の表示例を示す図である。
【図５】第２の実施形態によるプラント操作監視装置を示すブロック図である。
【図６】第２の実施形態によるプラント操作監視装置の動作例を示すフローチャートである。
【図７】第２の実施形態によるプラント操作監視装置の動作例として、プレビュー画面の表示例を示す図である。
【図８】第３の実施形態によるプラント操作監視装置を示すブロック図である。
【図９】第３の実施形態によるプラント操作監視装置の動作例として、イベント情報の表示例を示す図である。
【図１０】第４の実施形態によるプラント操作監視装置を示すブロック図である。
【図１１】第４の実施形態によるプラント操作監視装置の動作例として、トレンド情報の表示例を示す図である。
【図１２】第５の実施形態によるプラント操作監視装置を示すブロック図である。
【図１３】第５の実施形態によるプラント操作監視装置の動作例として、詳細情報の表示例を示す図である。
【発明を実施するための形態】
【００１１】
以下、図面を参照して本発明に係る実施形態を説明する。本実施形態は、本発明を限定するものではない。また、実施形態で参照する図面において、同一部分または同様な機能を有する部分には同一の符号または類似の符号を付し、その繰り返しの説明は省略する。
【００１２】
（第１の実施形態）
以下、第１の実施形態によるプラント操作監視装置について説明する。第１の実施形態のプラント操作監視装置は、例えば、火力発電所等の発電プラント（以下、プラントとも呼ぶ）の監視および制御に用いることができる。図１は、第１の実施形態によるプラント操作監視装置１を示すブロック図である。プラント操作監視装置１は、例えば、ＨＭＩ(Human Machine Interface)装置で構成することができる。
【００１３】
図１に示すように、第１の実施形態のプラント操作監視装置１は、監視情報記録部１０と、記憶部１１すなわちデータベースと、表示部１２と、文字列入力エリア表示処理部１３と、画面データ取得部の一例である画面データ抽出部１４と、一覧表示処理部１５と、操作監視画面表示処理部１６と、入力部１７とを備える。
【００１４】
監視情報記録部１０、文字列入力エリア表示処理部１３、画面データ抽出部１４、一覧表示処理部１５および操作監視画面表示処理部１６は、例えば、プロセッサや電気回路などのハードウェアで構成される。これらの構成部１０、１３〜１６のうち、少なくとも一部をソフトウェアで構成してもよい。また、プラント操作監視装置１の各構成部１０〜１７は、１つの機器や設備に搭載されていてもよく、または、一部の構成部が、他の構成部との間で外部ネットワークを通じて通信可能な装置（例えばクラウド上のサーバやデータベース）上にあってもよい。
【００１５】
（監視情報記録部１０）
監視情報記録部１０は、プラント２に備えられたプラント機器の運転状態を測定する各種の運転状態測定器から、測定された運転状態を示す運転状態情報を取得する。プラント機器は、例えば、ガスタービン、蒸気タービン、排熱回収ボイラなどである。運転状態測定器は、例えば、各種のプラント機器に設置された温度測定器、圧力測定器、電気信号検出器などである。運転状態情報は、例えば、各種のプラント機器の温度情報、圧力情報、電気信号などである。
【００１６】
監視情報記録部１０は、取得された運転状態情報に基づいて、プラント監視装置１で監視すべき監視情報を作成し、作成された監視情報を記憶部１１に記録する。監視情報は、例えば、プラント機器の運転状態を示すイベント情報や、プラント機器の運転履歴を示すトレンド情報を含む。監視情報は、後述する操作監視画面データの一部として機能する。
【００１７】
（記憶部１１）
記憶部１１には、操作監視画面データが記憶されている。操作監視画面データは、プラント機器の操作および監視の少なくとも一方を行うための操作監視画面の表示に用いられるデータである。プラント操作監視装置１は、操作監視画面データに基づいて、操作監視画面を表示することができる。
【００１８】
操作監視画面には、複数の種類すなわち機能があり、例えば、以下に示される系統図、グループ画面、グループ操作画面、トレンドグラフ、およびＸＹプロット画面などがある。
・系統図
系統図は、プラント機器を示すシンボルすなわち記号をガスや蒸気などの作動流体の流れに沿ってつなぎ合わせることで、プラントの制御系統を視覚化した画面である。
・グループ画面（Group Display）
グループ画面は、最大１６タグ番号をグループとして登録し、各タグ番号の値を示す機能を有する画面である。これだけではなく、グループ画面は、タグ番号が変更された場合に、自動で示す値をアップデートする機能を有していてもよい。
・グループ操作画面(Group Operation)
グループ操作画面は、複数のプラント機器を１つのグループとしてまとめて操作するための画面である。例えば、グループ操作画面は、複数のプラント機器の起動順序や停止順序を設定する画面であってもよいが、これに限定されない。
なお、グループ操作画面に対する入力部１７の入力結果は、プラント機器を操作する操作信号としてプラント機器の運転状態を制御する制御装置（例えば、作動流体の流量調整弁など）に入力されてもよい。
・トレンドグラフ
トレンドグラフは、複数のプラント機器のトレンド情報をまとめて表示した画面である。トレンドグラフでは、X軸を時間軸とし、Y軸にはプラント機器のプロセス値をグラフとして表示する。
・ＸＹプロット画面
ＸＹプロット画面は、異なるプラント機器間の運転状態の相関関係を、ＸＹプロット画面として表示した画面である。ＸＹプロット画面は、例えば、ある１つのプラント機器の運転状態をＸ軸の値とし、他の１つのプラント機器の運転状態をＹ軸の値とした画面であってもよいが、これに限定されない。
【００１９】
また、系統図、グループ画面、グループ操作画面、トレンドグラフ、およびＸＹプロット画面の各種類の画面のそれぞれには、画面に含まれるプラント機器の違いに応じて、各種類毎に複数の画面が存在し得る。
【００２０】
操作監視画面データは、操作監視画面を表示するために必要な各種のデータを含む。例えば、操作監視画面データは、プラント機器毎に個別に採番されたＴＡＧ番号を有し、各ＴＡＧ番号のそれぞれには、プラント機器のシンボル、名称、イベント情報、およびトレンド情報などが対応付けられている。また、操作監視画面データは、記憶部(TAG database)に属する複数のＴＡＧ番号を統括して管理するために、各ＴＡＧ番号に対応付けられた共通の画面タイトルを有する。画面タイトルは、例えば、テキスト情報である。
【００２１】
（文字列入力エリア表示処理部１３）
文字列入力エリア表示処理部１３は、操作監視画面に関連する文字列（例えば、テキスト情報）を入力可能な文字列入力エリアを表示部１２に表示する。
【００２２】
オペレータは、表示された文字列入力エリアに対して、入力部１７を用いた文字列の入力が可能である。文字列は、例えば、プラント機器に関連するキーワードや、プラント機器毎に割り当てられたＴＡＧ番号である。
【００２３】
入力部１７は、例えば、マウスやキーボードである。オペレータは、文字列入力エリアにプラント機器に関連する文字列を入力する簡便な操作によって、煩雑な階層メニューの操作を要することなく、所望の操作監視画面を探すことができる。
【００２４】
（画面データ抽出部１４）
画面データ抽出部１４は、記憶部１１から、文字列入力エリアに入力された文字列を含む操作監視画面データを抽出すなわち取得する。例えば、画面データ抽出部１４は、文字列入力領域に入力された文字列を画面タイトルに含む操作監視画面データを抽出してもよい。
【００２５】
オペレータは、操作監視画面の内容を簡潔に表現した文字列を入力して所望の操作監視画面を検索することが想定される。画面タイトルは、操作監視画面の内容を簡潔に表現していることが多いため、オペレータが入力した文字列を含むことが多い。このため、画面タイトルに基づいて操作監視画面データをフィルタリングすることで、所望の操作監視画面データを抽出する確実性および迅速性を高めることができる。
【００２６】
（一覧表示処理部１５）
一覧表示処理部１５は、画面データ抽出部１４で抽出された操作監視画面データに対応する操作監視画面の選択肢の一覧（以下、選択肢一覧とも呼ぶ）を表示部１２に表示する。一覧表示処理部１５は、選択肢一覧を、操作監視画面の種類毎に分類した状態で表示する。
【００２７】
選択肢一覧の表示において、一覧表示処理部１５は、各操作監視画面の選択肢を、既述した系統図、グループ画面、グループ操作画面、トレンドグラフ、およびＸＹプロット画面などの複数の種類毎に分類した状態で表示してもよい。
【００２８】
オペレータは、表示された選択肢一覧に示される操作監視画面の選択肢に対して、入力部１７を用いた選択が可能である。例えば、オペレータは、操作監視画面の選択肢として画面タイトルを一覧表示した選択肢一覧に対して、所望の画面タイトルをマウスポインタで指示し、マウスをダブルクリックすることで、画面タイトルに対応する操作監視画面を選択することができる。
【００２９】
オペレータは、操作監視画面を表示させようとするとき、どのような種類の操作監視画面を表示させたいのかを頭に思い描きながら操作監視画面を検索することが多い。一覧表示処理部１５によれば、操作監視画面の種類毎に分類した状態で操作監視画面の選択肢一覧を表示することができるので、オペレータは、種類毎に分類された選択肢一覧の中から、表示させたい種類の操作監視画面を簡便かつ迅速に見つけ出すことができる。
【００３０】
（操作監視画面表示処理部１６）
操作監視画面表示処理部１６は、操作監視画面データに基づいて、選択肢一覧の中から選択された選択肢に対応する操作監視画面を表示部１２に表示する。
【００３１】
（動作例）
次に、第１の実施形態のプラント操作監視装置１の動作例について説明する。図２は、第１の実施形態によるプラント操作監視装置１の動作例を示すフローチャートである。図３は、第１の実施形態によるプラント操作監視装置１の動作例として、ログインボタン３０１、文字列入力エリア３０２および選択肢一覧３０３の表示例を示す図である。
【００３２】
先ず、図２に示すように、プラント操作監視装置１は、操作監視画面の操作許可を取得するためのログイン操作が完了しているか否かを判定する（ステップＳ１）。なお、ログイン操作は、図３に示すように表示部１２に表示された画面に含まれるログインボタン３０１を入力部１７で操作することによって実行することができる。図３の例において、ログイン操作は、ユーザ種類の入力をともなう。入力されたユーザ種類に応じて、操作監視画面に許可される画面操作の内容が制限されてもよい。また、ステップＳ１の判定は、例えば、文字列入力エリア表示処理部１３が行ってもよい。
【００３３】
ログイン操作が完了している場合（ステップＳ１：Ｙｅｓ）、図３に示すように、文字列入力エリア表示処理部１３は、表示部１２に文字列入力エリア３０２を表示する（図２のステップＳ２）。なお、図３には、文字列入力エリア３０２とともに選択肢一覧３０３が図示されているが、ステップＳ２の時点では、選択肢一覧３０３は表示されない。
【００３４】
図３に示すように、文字列入力エリア３０２が表示されているとき、例えば図３における画面左上の領域Ａには、操作監視画面を選択するための階層メニューにおけるメインメニューは表示されていない。階層メニューが表示されていないことで、オペレータは、文字列入力エリア３０２への文字列の入力によって所望の操作監視画面を簡便に検索できることを容易に理解することができる。
【００３５】
一方、ログイン操作が完了していない場合（ステップＳ１：Ｎｏ）、プラント操作監視装置１は、オペレータにログイン操作を促す（ステップＳ９）。プラント操作監視装置１は、例えば、ログイン操作が行われていない旨を通知するアラートを表示することによって、オペレータにログイン操作を促してもよい。
【００３６】
文字列入力エリア３０２を表示した後、図２に示すように、画面データ抽出部１４は、文字列入力エリア３０２にキーワードやＴＡＧ番号などの文字列が入力されたか否かを判定する（ステップＳ３）。
【００３７】
文字列入力エリア３０２に文字列が入力された場合（ステップＳ３：Ｙｅｓ）、画面データ抽出部１４は、入力された文字列に基づいて、記憶部１１に記憶された操作監視画面データのフィルタリングを行う（ステップＳ４）。言い換えると、画面データ抽出部１４は、記憶部１１に記憶された操作監視画面データの中から、文字列入力エリア３０２に入力された文字列を含む操作監視画面データを抽出すなわち取得する。例えば、画面データ抽出部１４は、文字列入力エリア３０２に入力された文字列を画面タイトルに含む操作監視画面データを抽出してもよい。
【００３８】
図３の例において、文字列入力エリア３０２には、入力部１７によって“ＨＲＳＧ(Heat Recovery Steam  Generator)”と入力されている。この場合、画面データ抽出部１４は、“ＨＲＳＧ”という文字列を画面タイトルに含む操作監視画面データを抽出する。なお、図３の例において、文字列入力エリア３０２には、１つの文字列のみが入力されているが、文字列入力エリア３０２は、複数の文字列を間隔を空けて入力可能であってもよい。この場合、画面データ抽出部１４は、複数の文字列をアンド条件として操作監視画面データをフィルタリングすればよい。
【００３９】
一方、図２に示すように、文字列入力エリア３０２に文字列が入力されていない場合（ステップＳ３：Ｎｏ）、画面データ抽出部１４は、文字列入力エリア３０２に文字列が入力されたか否かの判定を繰り返す（ステップＳ３）。
【００４０】
操作監視画面データをフィルタリングした後、一覧表示処理部１５は、フィルタリングで抽出された操作監視画面データに基づいて、抽出された操作監視画面データに対応する操作監視画面の選択肢一覧を表示部１２に表示する（ステップＳ５）。このとき、一覧表示処理部１５は、例えば、図３に示すように、操作監視画面の種類毎に分類した状態で選択肢一覧３０３を表示する。
【００４１】
図３の例において、選択肢一覧３０３は、文字列入力エリア３０２に入力された文字列（“ＨＲＳＧ”）を含む画面タイトル（例えば、“ＨＲＳＧ＃１システム概要”等）を、操作監視画面の選択肢として表示している。各選択肢は、“系統図”、“グループ画面”、“グループ操作”、“トレンドグラフ”、“ＸＹプロット”といった操作監視画面の種類毎に分類された状態で表示されている。各選択肢は、入力部１７によって個別に選択可能である。
【００４２】
図３の選択肢一覧３０３によれば、オペレータは、例えば、排熱回収ボイラの或る系統図（例えば、“ＨＲＳＧ＃１システム概要”）を表示したい場合に、複数回にわたるメニュー操作を要することなく、表示したい系統図を直ちに見つけ出すことができる。
【００４３】
選択肢一覧３０３を表示した後、図２に示すように、操作監視画面表示処理部１６は、選択肢一覧３０３から操作監視画面の選択肢が選択されたか否かを判定する（ステップＳ６）。
【００４４】
図４は、第１の実施形態によるプラント操作監視装置１の動作例として、操作監視画面３０４の表示例を示す図である。操作監視画面の選択肢が選択された場合（図２のステップＳ６：Ｙｅｓ）、図４に示すように、操作監視画面表示処理部１６は、選択された選択肢に対応する操作監視画面データに基づいて、選択された選択肢に対応する操作監視画面３０４を表示部１２に表示する（図２のステップＳ７）。
【００４５】
図４の例において、操作監視画面３０４は、選択肢一覧３０３の中から選択された“ＨＲＳＧ＃１システム概要”という画面タイトル３００を有する系統図である。操作監視画面３０４では、ＨＲＳＧを含むプラントの発電システムの系統図が、ＨＲＳＧ、ガスタービンＧＴ、蒸気タービンＳＴ、発電機Ｇおよびボイラなどのシンボルを用いて表現されている。
【００４６】
また、図４の例において、選択肢一覧３０３のうち、表示されている操作監視画面３０４に対応する選択肢である“ＨＲＳＧ＃１システム概要”は、他の選択肢と異なる表示態様で表示（例えば、薄い色で表示）されている。
【００４７】
一方、図２に示すように、操作監視画面の選択肢が選択されていない場合（ステップＳ６：Ｎｏ）、操作監視画面表示処理部１６は、操作監視画面の選択肢の選択の有無の判定を繰り返す（ステップＳ６）。
【００４８】
操作監視画面３０４を表示した後、操作監視画面表示処理部１６は、入力部１７によって操作監視画面を選択し直すための“戻る”操作が行われたか否かを判定する（ステップＳ８）。
【００４９】
“戻る”操作が行われた場合（ステップＳ８：Ｙｅｓ）、操作監視画面表示処理部１６は、操作監視画面３０４を消去し、文字列入力エリア表示処理部１３は、文字列入力エリア３０２に入力された文字列を消去する。そして、画面データ抽出部１４は、文字列が消去された文字列入力エリア３０２に新たな文字列が入力されたか否かを判定する（ステップＳ３）。
【００５０】
一方、“戻る”操作が行われなかった場合（ステップＳ８：Ｎｏ）、操作監視画面表示処理部１６は、操作監視画面３０４の表示を維持して処理を終了する。
【００５１】
第１の実施形態によれば、表示したい操作監視画面の登録場所をオペレータが覚えていない場合であっても、表示したい操作監視画面に関連する文字列を文字列入力エリア３０２に入力することで、表示したい操作監視画面を簡便に検索することができる。また、操作監視画面の選択肢一覧３０３を操作監視画面の種類毎に分類して表示することで、多数の操作監視画面の選択肢の中から、オペレータが表示したい操作監視画面の選択肢を簡便かつ迅速に見つけることができる。また、多階層メニューを用いた複数回にわたるメニュー操作の替わりに、文字列入力エリア３０２への文字列の入力および選択肢一覧３０３からの選択肢の選択といった最小限のステップ数によるメニューレス操作によって所望の操作監視画面を表示することができるので、所望の操作監視画面の表示までの所要時間を短縮することができる。したがって、第１の実施形態によれば、オペレータの熟練度によらず、オペレータの所望の操作監視画面を簡便かつ迅速に表示することができる。
【００５２】
（第２の実施形態）
次に、操作監視画面を事前表示する第２の実施形態について説明する。図５は、第２の実施形態によるプラント操作監視装置１を示すブロック図である。
【００５３】
図５に示すように、第２の実施形態によるプラント操作監視装置１は、第１の実施形態の構成に加えて、更に、事前表示処理部１８を有する。
【００５４】
事前表示処理部１８は、選択肢一覧の中から入力部１７によって未選択状態で指示された選択肢に対応する操作監視画面を、選択肢の選択による表示の前に表示部１２に表示すなわちプレビュー表示する。以下、事前表示処理部１８によって事前に表示される操作監視画面のことを、プレビュー画面とも呼ぶ。
【００５５】
例えば、事前表示処理部１８は、選択肢一覧に示される操作監視画面の選択肢のうち、マウスポインタで指定された選択肢に対応するプレビュー画面を表示してもよい。
【００５６】
事前表示処理部１８は、選択肢の選択によって表示される操作監視画面（すなわち、操作監視画面表示処理部１６で表示される操作監視画面）よりもプレビュー画面のデータ量を削減してもよい。例えば、事前表示処理部１８は、プレビュー画面のサイズを操作監視画面より小さくしたり、プレビュー画面の詳細度を操作監視画面より粗くしたりしてもよい。プレビュー画面のデータ量を小さくすることで、プレビュー画面を迅速に表示することができる。これにより、オペレータが複数のプレビュー画面を確認したい場合であっても、個々のプレビュー画面を迅速に表示できるので、所望の操作監視画面を選択する時間を短時間に抑えることができる。
【００５７】
次に、第２の実施形態によるプラント操作監視装置１の動作例について、第１の実施形態との差異を中心に説明する。図６は、第２の実施形態によるプラント操作監視装置１の動作例を示すフローチャートである。図７は、第２の実施形態によるプラント操作監視装置１の動作例として、プレビュー画面の表示例を示す図である。
【００５８】
図６に示すように、第２の実施形態の動作例は、図２に示した第１の実施形態の動作例に対して、選択肢一覧の表示（ステップＳ５）と操作監視画面の選択肢の選択の有無の判定（ステップＳ６）との間にステップＳ１０〜ステップＳ１２の工程を実行する点が異なる。
【００５９】
具体的には、図７に示すように、事前表示処理部１８は、選択肢一覧３０３を含む画面上に、入力部１７の一例であるマウスに連動するマウスポインタ３０５を表示する。そして、事前表示処理部１８は、図６に示すように、操作監視画面の選択肢がマウスポインタ３０５で指示されたか否かを判定する（ステップＳ１０）。ただし、このマウスポインタ３０５での指示は、マウスポインタ３０５を選択肢上に位置させるだけであり、マウスのダブルクリックによる選択肢の選択ではない。
【００６０】
操作監視画面の選択肢がマウスポインタ３０５で指示された場合（ステップＳ１０：Ｙｅｓ）、図７に示すように、事前表示処理部１８は、指示された選択肢に対応する操作監視画面データに基づいて、指示された選択肢に対応するプレビュー画面３０６を表示部１２に表示する（図６のステップＳ１１）。
【００６１】
図７の例において、プレビュー画面３０６は、マウスポインタ３０５で選択肢“ＨＲＳＧ＃１システム概要”が指示されたときに表示される画面である。このプレビュー画面３０６は、図４に示した“ＨＲＳＧ＃１システム概要”の操作監視画面３０４に対してサイズが縮小されている。
【００６２】
一方、図６に示すように、操作監視画面の選択肢がマウスポインタ３０５で指示されていない場合（ステップＳ１０：Ｎｏ）、事前表示処理部１８は、選択肢がマウスポインタ３０５で指示されたか否かの判定を繰り返す（ステップＳ１０）。
【００６３】
プレビュー画面３０６を表示した後、事前表示処理部１８は、プレビュー画面３０６に対応する選択肢のマウスポインタ３０５での指示が解除されたか否かを判定する（ステップＳ１２）。
【００６４】
マウスポインタ３０５での選択肢の指示が解除された場合（ステップＳ１２：Ｙｅｓ）、事前表示処理部１８は、プレビュー画面３０６を消去したうえで、新たに操作監視画面の選択肢がマウスポインタ３０５で指示されたか否かの判定を行う（ステップＳ１０）。
【００６５】
一方、マウスポインタ３０５での選択肢の指示が解除されなかった場合（ステップＳ１２：Ｎｏ）、監視画面表示処理部１６は、選択肢の選択すなわちマウスのダブルクリックの有無を判定する（ステップＳ６）。選択肢が選択されなかった場合（ステップＳ６：Ｎｏ）、事前表示処理部１８は、プレビュー画面３０６に対応する選択肢のマウスポインタ３０５での指示が解除されたか否かの判定を繰り返す（ステップＳ１２）。これ以降の工程は第１の実施形態と同様であるので詳細な説明は割愛する。
【００６６】
第２の実施形態によれば、操作監視画面３０４を表示する前に、事前にプレビュー画面３０６を表示することができるので、操作監視画面の選択の誤りを未然に回避することができる。これにより、オペレータの所望の操作監視画面を更に簡便かつ迅速に表示することができる。
【００６７】
（第３の実施形態）
次に、操作監視画面とともにイベント情報を表示する第３の実施形態について説明する。図８は、第３の実施形態によるプラント操作監視装置１を示すブロック図である。
【００６８】
図８に示すように、第３の実施形態によるプラント操作監視装置１は、第２の実施形態の構成に加えて、更に、イベント情報表示処理部１９を備える。
【００６９】
図９は、第３の実施形態によるプラント操作監視装置１の動作例として、イベント情報の表示例を示す図である。図９に示すように、イベント情報表示処理部１９は、操作監視画面３０４が表示部１２に表示されているとき、操作監視画面データに基づいて、操作監視画面３０４に関連するプラント機器の運転状態を示すイベント情報３０７を表示部１２に表示する。イベント情報表示処理部１９は、操作監視画面３０４の表示の開始と同時にイベント情報３０７の表示を開始し、操作監視画面３０４の表示の終了と同時にイベント情報３０７の表示を終了してもよい。図９の例において、イベント情報３０７は、日付と、ＴＡＧ番号と、ＴＡＧ番号が採番されたプラント機器に発生したイベントとが、互いに対応付けられた情報である。
【００７０】
第３の実施形態によれば、操作監視画面とともにイベント情報を自動的に表示することができるので、煩雑なメニュー操作を要することなく簡便かつ迅速にイベント情報を表示することができる。
【００７１】
（第４の実施形態）
次に、操作監視画面およびイベント情報とともにトレンド情報を表示する第４の実施形態について説明する。図１０は、第４の実施形態によるプラント操作監視装置１を示すブロック図である。
【００７２】
図１０に示すように、第４の実施形態によるプラント操作監視装置１は、第３の実施形態の構成に加えて、更に、トレンド情報表示処理部１１０を備える。
【００７３】
図１１は、第４の実施形態によるプラント操作監視装置１の動作例として、トレンド情報の表示例を示す図である。図１１に示すように、トレンド情報表示処理部１１０は、操作監視画面３０４が表示部１２に表示されているとき、操作監視画面データに基づいて、操作監視画面３０４に関連するプラント機器の運転履歴を示すトレンド情報３０９を表示部１２に表示する。トレンド情報表示処理部１１０は、操作監視画面３０４の表示の開始と同時にトレンド情報３０９の表示を開始し、操作監視画面３０４の表示の終了と同時にトレンド情報３０９の表示を終了してもよい。
【００７４】
図１１の例において、トレンド情報表示処理部１１０は、操作監視画面３０４を含む画面上にマウスポインタ３０５を表示する。トレンド情報表示処理部１１０は、操作監視画面３０４に含まれるシンボルのうち、マウスポインタ３０５で選択されたシンボルのトレンド情報３０９を表示する。図１１においては、マウスポインタ３０５によって蒸気タービンＳＴの発電機Ｇが指示されているため、トレンド情報表示処理部１１０は、蒸気タービンＳＴの発電機Ｇについての時間と出力との対応関係を示すトレンド情報３０９を表示している。
【００７５】
第４の実施形態によれば、操作監視画面上での簡便な操作によってトレンド情報を表示することができるので、煩雑なメニュー操作を要することなく簡便かつ迅速にトレンド情報を表示することができる。
【００７６】
（第５の実施形態）
次に、イベント情報およびトレンド情報以外のプラント機器の詳細情報を表示する第５の実施形態について説明する。図１２は、第５の実施形態によるプラント操作監視装置１を示すブロック図である。
【００７７】
図１２に示すように、第５の実施形態によるプラント操作監視装置１は、第４の実施形態の構成に加えて、更に、詳細情報表示処理部１１１を備える。
【００７８】
図１３は、第５の実施形態によるプラント操作監視装置１の動作例として、詳細情報の表示例を示す図である。図１３に示すように、詳細情報表示処理部１１１は、操作監視画面３０４が表示部１２に表示されているとき、操作監視画面３０４に関連するプラント機器の運転状態および運転履歴以外の詳細情報３１０を表示部１２に表示する。すなわち、詳細情報表示処理部１１１は、操作監視画面３０４に含まれるプラント機器についてのイベント情報３０７およびトレンド情報３０９以外の詳細情報３１０を表示する。詳細情報表示処理部１１１は、操作監視画面３０４の表示の開始と同時に詳細情報３１０の表示を開始し、操作監視画面３０４の表示の終了と同時に詳細情報３１０の表示を終了してもよい。図１３の例において、詳細情報３１０は、ＴＡＧ番号、機器名称、制御状態（自動／手動／異常／点検中）、および警報詳細情報を含む。
【００７９】
第５の実施形態によれば、操作監視画面とともに詳細情報を自動的に表示することができるので、煩雑なメニュー操作を要することなく簡便かつ迅速に詳細情報を表示することができる。
【００８０】
これまでは、選択肢一覧３０３を表示し、階層メニューを表示しない実施形態について説明した。これに対して、メインメニュー、メインメニューの下層のサブメニュー、およびサブメニューの下層のサブサブメニューといった複数のメニューから構成される階層メニューを表示する機能を一覧表示処理部１５に追加し、階層メニューから選択された操作監視画面３０４を表示する機能を操作監視画面表示処理部１６に追加してもよい。
【００８１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８２】
１  プラント操作監視装置、１１  記憶部、１２  表示部、１３  文字列入力エリア表示処理部、１４  画面データ抽出部、１５  一覧表示処理部
【図１】
2018160178.tif 000003
【図２】
2018160178.tif 000004
【図３】
2018160178.tif 000005
【図４】
2018160178.tif 000006
【図５】
2018160178.tif 000007
【図６】
2018160178.tif 000008
【図７】
2018160178.tif 000009
【図８】
2018160178.tif 000010
【図９】
2018160178.tif 000011
【図１０】
2018160178.tif 000012
【図１１】
2018160178.tif 000013
【図１２】
2018160178.tif 000014
【図１３】
2018160178.tif 000015